【手続補正書】
【提出日】平成20年2月1日(2008.2.1)
【手続補正１】
【補正対象書類名】明細書
【補正対象項目名】特許請求の範囲
【補正方法】変更
【補正の内容】
【特許請求の範囲】
【請求項１】  図柄表示部(30)に停止表示された複数列・複数段の各図柄(27)により現出され得る図柄の図柄組合わせラインを、前記図柄表示部(30)の前側に対向して配設される透視板体(31)に設けた有効ライン(L1,L2,L3,L4,L5)で表示するようにした図柄表示装置の有効ライン表示構造であって、
前記透視板体(31)は、第１の透明板(33A)および第２の透明板(33B)を前後に重ね合わせて構成され、
前記第１の透明板(33A)の外面に形成されて、前記図柄表示部(30)に停止表示される前記図柄(27)の組合わせラインに沿って横方向に延在し、不透明または半透明な反射面(38)で構成されて上下方向に離間する複数の水平線状部(35A,35B,35C)と、
前記第２の透明板(33B)の外面に形成されて、前記図柄表示部(30)に停止表示される前記図柄(27)の組合わせラインに沿って右下がりに延在し、不透明または半透明な反射面(38)で構成された右傾斜線状部(35D)と、
前記第２の透明板(33B)の外面に形成されて、前記図柄表示部(30)に停止表示される前記図柄(27)の組合わせラインに沿って左下がりに延在して前記右傾斜線状部(35D)と交差し、不透明または半透明な反射面(38)で構成された左傾斜線状部(35E)と、
前記各透明板(33A,33B)における前記各水平線状部(35A,35B,35C)および前記各傾斜線状部(35D,35E)の端部が臨む端面部に隣接した部位に、該透明板(33A,33B)を指向した姿勢で夫々の該線状部(35A,35B,35C,35D,35E)に対応して配設され、遊技態様に対応して点灯・消灯制御される光源(32)とを備え、
前記光源(32)が点灯制御された際に該光源(32)からの照射光が、前記水平線状部(35A,35B,35C)、右傾斜線状部(35D)および左傾斜線状部(35E)の反射面(38)で反射し、これにより前記透視板体(31)の表面に明輝した該線状部(35A,35B,35C,35D,35E)が前記有効ライン(L1,L2,L3,L4,L5)として表示されるよう構成した
ことを特徴とする図柄表示装置の有効ライン表示構造。
【請求項２】  図柄表示部(30)に停止表示された複数列・複数段の各図柄(27)により現出され得る図柄の図柄組合わせラインを、前記図柄表示部(30)の前側に対向して配設される透視板体(31)に設けた有効ライン(L1,L2,L3,L4,L5)で表示するようにした図柄表示装置の有効ライン表示構造であって、
前記透視板体(31)は、第１の透明板(33A)、第３の透明板(33C)および第４の透明板(33D)を夫々前後に重ね合わせて構成され、
前記第１の透明板(33A)の外面に形成されて、前記図柄表示部(30)に停止表示される前記図柄(27)の組合わせラインに沿って横方向に延在し、不透明または半透明な反射面(38)で構成されて上下方向に離間する複数の水平線状部(35A,35B,35C)と、
前記第３の透明板(33C)の外面に形成されて、前記図柄表示部(30)に停止表示される前記図柄(27)の組合わせラインに沿って右下がりに延在し、不透明または半透明な反射面(38)で構成された右傾斜線状部(35D)と、
前記第４の透明板(33D)の外面に形成されて、前記図柄表示部(30)に停止表示される前記図柄(27)の組合わせラインに沿って左下がりに延在し、不透明または半透明な反射面(38)で構成された左傾斜線状部(35E)と、
前記各透明板(33A,33C,33D)における前記各水平線状部(35A,35B,35C)および前記各傾斜線状部(35D,35E)の端部が臨む端面部に隣接した部位に、該透明板(33A,33C,33D)を指向した姿勢で夫々の該線状部(35A,35B,35C,35D,35E)に対応して配設され、遊技態様に対応して点灯・消灯制御される光源(32)とを備え、
前記光源(32)が点灯制御された際に該光源(32)からの照射光が、前記水平線状部(35A,35B,35C)、右傾斜線状部(35D)および左傾斜線状部(35E)の反射面(38)で反射し、これにより前記透視板体(31)の表面に明輝した該線状部(35A,35B,35C,35D,35E)が前記有効ライン(L1,L2,L3,L4,L5)として表示されるよう構成した
ことを特徴とする図柄表示装置の有効ライン表示構造。
【請求項３】  前記水平線状部(35A,35B,35C)、右傾斜線状部(35D)および左傾斜線状部(35E)の夫々に対応して、前記各透明板(33A,33B,33C,33D)における左側端面(39)および右側端面(40)に対して複数の光源(32/32a〜32j/32a〜32l/32a〜32r)を上下所要間隔毎に配設し、これら光源(32/32a〜32j/32a〜32l/32a〜32r)からの照射光が、前記水平線状部(35A,35B,35C)、右傾斜線状部(35D)および左傾斜線状部(35E)の反射面(38)に対して斜めに照射されるよう構成した請求項１または２記載の図柄表示装置の有効ライン表示構造。
【請求項４】  前記水平線状部(35A,35B,35C)、右傾斜線状部(35D)および左傾斜線状部(35E)の夫々に対応して、前記各透明板(33A,33B,33C,33D)における左側端面(39)または右側端面(40)に対して複数の光源(32/32a〜32j/32a〜32l/32a〜32r)を上下所要間隔毎に配設し、これら光源(32/32a〜32j/32a〜32l/32a〜32r)からの照射光が、前記水平線状部(35A,35B,35C)、右傾斜線状部(35D)および左傾斜線状部(35E)の反射面(38)に対して斜めに照射されるよう構成した請求項１または２記載の図柄表示装置の有効ライン表示構造。
【請求項５】  前記各線状部(35A,35B,35C,35D,35E)に対応する複数の光源(32)は、異なる発光色に設定されると共に、夫々の光源(32)が個別に点灯・消灯制御される請求項３または４記載の図柄表示装置の有効ライン表示構造。
【請求項６】  遊技機使用権利媒体の投入数量に応じて前記複数の光源(32)を自動的に選択して点灯制御することで、表示する有効ライン(L1,L2,L3,L4,L5)の数を選択し得るよう構成した請求項１〜５の何れか一項に記載の図柄表示装置の有効ライン表示構造。
【手続補正２】
【補正対象書類名】明細書
【補正対象項目名】０００７
【補正方法】変更
【補正の内容】
【０００７】
【課題を解決するための手段】
前述した課題を克服し、所期の目的を好適に達成するため本発明は、
図柄表示部に停止表示された複数列・複数段の各図柄により現出され得る図柄の図柄組合わせラインを、前記図柄表示部の前側に対向して配設される透視板体に設けた有効ラインで表示するようにした図柄表示装置の有効ライン表示構造であって、
前記透視板体は、第１の透明板および第２の透明板を前後に重ね合わせて構成され、
前記第１の透明板の外面に形成されて、前記図柄表示部に停止表示される前記図柄の組合わせラインに沿って横方向に延在し、不透明または半透明な反射面で構成されて上下方向に離間する複数の水平線状部と、
前記第２の透明板の外面に形成されて、前記図柄表示部に停止表示される前記図柄の組合わせラインに沿って右下がりに延在し、不透明または半透明な反射面で構成された右傾斜線状部と、
前記第２の透明板の外面に形成されて、前記図柄表示部に停止表示される前記図柄の組合わせラインに沿って左下がりに延在して前記右傾斜線状部と交差し、不透明または半透明な反射面で構成された左傾斜線状部と、
前記各透明板における前記各水平線状部および前記各傾斜線状部の端部が臨む端面部に隣接した部位に、該透明板を指向した姿勢で夫々の該線状部に対応して配設され、遊技態様に対応して点灯・消灯制御される光源とを備え、
前記光源が点灯制御された際に該光源からの照射光が、前記水平線状部、右傾斜線状部および左傾斜線状部の反射面で反射し、これにより前記透視板体の表面に明輝した該線状部が前記有効ラインとして表示されるよう構成したことを特徴とする。
また前述した課題を克服し、所期の目的を好適に達成するため本願の別の発明は、
図柄表示部に停止表示された複数列・複数段の各図柄により現出され得る図柄の図柄組合わせラインを、前記図柄表示部の前側に対向して配設される透視板体に設けた有効ラインで表示するようにした図柄表示装置の有効ライン表示構造であって、
前記透視板体は、第１の透明板、第３の透明板および第４の透明板を夫々前後に重ね合わせて構成され、
前記第１の透明板の外面に形成されて、前記図柄表示部に停止表示される前記図柄の組合わせラインに沿って横方向に延在し、不透明または半透明な反射面で構成されて上下方向に離間する複数の水平線状部と、
前記第３の透明板の外面に形成されて、前記図柄表示部に停止表示される前記図柄の組合わせラインに沿って右下がりに延在し、不透明または半透明な反射面で構成された右傾斜線状部と、
前記第４の透明板の外面に形成されて、前記図柄表示部に停止表示される前記図柄の組合わせラインに沿って左下がりに延在し、不透明または半透明な反射面で構成された左傾斜線状部と、
前記各透明板における前記各水平線状部および前記各傾斜線状部の端部が臨む端面部に隣接した部位に、該透明板を指向した姿勢で夫々の該線状部に対応して配設され、遊技態様に対応して点灯・消灯制御される光源とを備え、
前記光源が点灯制御された際に該光源からの照射光が、前記水平線状部、右傾斜線状部および左傾斜線状部の反射面で反射し、これにより前記透視板体の表面に明輝した該線状部が前記有効ラインとして表示されるよう構成したことを特徴とする。
【手続補正３】
【補正対象書類名】明細書
【補正対象項目名】０００８
【補正方法】変更
【補正の内容】
【０００８】
【作用】
透視板体の近傍に配設した光源からの照射光を該透視板体を構成する各透明板に設けた線状部の反射面で反射させ、これにより明輝した該線状部で有効ラインを表示するので、該有効ラインが鮮明に表示されて視認性が向上する。
そして前記透視板体を、横方向へ延在する複数の水平線状部を設けた第１の透明板と、右下がりに延在する右傾斜線状部および左下がりに延在する左傾斜線状部を設けた第２の透明板とから構成した場合、２枚の透明板のみで全ての有効ラインの表示が可能となり、各透明板毎に１つの有効ラインを設ける場合と比較すると前記透視板体の厚みを格段に小さくできる。
また透視板体を、横方向へ延在する複数の水平線状部を設けた第１の透明板と、右下がりに延在する右傾斜線状部を設けた第３の透明板と、左下がりに延在する左傾斜線状部を設けた第４の透明板とから構成した場合、３枚の透明板で全ての有効ラインの表示が可能となり、各透明板毎に１つの有効ラインを設ける場合と比較すると前記透視板体の厚みをかなり小さくできる。しかも、右傾斜線状部と左傾斜線状部とが別々の透明板に形成されてクロスしないと共に別々の光源で照射するから、夫々の線状部に対応した有効ラインが鮮明に明輝される。
そして前記光源を、前記透明板の左側端面および／または右側端面に対して上下所要間隔毎に複数個配設すれば、これら光源からの照射光が前記線状部の反射面に対して斜めに照射されるようになり、該照射光が反射面で好適に反射して有効ラインが鮮明に表示される。
なお、光源を個別に点灯・消灯制御したり、異なる発光色に設定するようにすれば、各有効ラインの表示態様の多様化および多彩化が可能となる。そしてこのような光源を、遊技機使用権利媒体の投入数量に応じて自動的に選択して点灯制御することで、各有効ラインの表示数が適切に選択される。
【手続補正４】
【補正対象書類名】明細書
【補正対象項目名】００１３
【補正方法】変更
【補正の内容】
【００１３】
(線状部)
前記夫々の線状部３５Ａ〜３５Ｅは、例えば図５に示すように直線状に延在するＶ字状の溝であって、透明板３３Ａ〜３３Ｄの裏面３６から最深部に向けて対向的に傾斜する反射面３８,３８で形成されている。これら反射面３８,３８は所謂磨りガラス状に加工されたもので、巨視的には不透明状または半透明状を呈しているが、微視的には多数の微小面が連接した凹凸形態を呈している。そして、前記水平線状部３５Ａ,３５Ｂ,３５Ｃ、右傾斜線状部３５Ｄおよび左傾斜線状部３５Ｅは、その深さが一定ではなく、図６(ａ)に示すように、前記ＬＥＤランプ３２の近傍では浅く、該ＬＥＤランプ３２から離間するに従って深くなるように設定されており、ＬＥＤランプ３２からの照射光が反射面３８,３８に対して所要角度で到達して反射され得るように設定されている。ここで、透明板３５の左側端面３９および右側端面４０の両方に隣接してＬＥＤランプ３２,３２を夫々配設した照射形態の場合、前記各線状部３５Ａ,３５Ｂ,３５Ｃ,３５Ｄ,３５Ｅは中央部が最も深くなり、左側端面３９および右側端面４０に向かって徐々に浅くなるように設定されている。すなわち、各ＬＥＤランプ３２からの照射光は、対応の線状部３５Ａ〜３５Ｅにおける反射面３８,３８の微小面で反射して透明板３３Ａ〜３３Ｄの表面３７の側へ出光するようになり、当該線状部３５Ａ〜３５Ｅが明輝表示される。
【手続補正５】
【補正対象書類名】明細書
【補正対象項目名】００３５
【補正方法】変更
【補正の内容】
【００３５】
【発明の効果】
以上説明した如く、本発明に係る図柄表示装置の有効ライン表示構造によれば、透視板体の近傍に配設した光源からの照射光を該透視板体を構成する各透明板に設けた線状部の反射面で反射させ、これにより明輝した該線状部で有効ラインを表示するようにしたから、有効ラインが鮮明に表示されて視認性が向上するようになる利点がある。
そして前記透視板体を、横方向へ延在する複数の水平線状部を設けた第１の透明板と、右下がりに延在する右傾斜線状部および左下がりに延在する左傾斜線状部を設けた第２の透明板とから構成すれば、２枚の透明板のみで全ての有効ラインの表示が可能となり、各透明板毎に１つの有効ラインを設ける場合と比較すると前記透視板体の厚みを格段に小さくできるから図柄の適切な透視表示が可能であると共にコストアップを招来することもない。
また透視板体を、横方向へ延在する複数の水平線状部を設けた第１の透明板と、右下がりに延在する右傾斜線状部を設けた第３の透明板と、左下がりに延在する左傾斜線状部を設けた第４の透明板とから構成すれば、３枚の透明板で全ての有効ラインの表示が可能となり、各透明板毎に１つの有効ラインを設ける場合と比較すると前記透視板体の厚みをかなり小さくできるから図柄の適切な透視表示が可能であると共にコストアップを招来することもない。しかも、右傾斜線状部と左傾斜線状部とが別々の透明板に形成されてクロスしないと共に別々の光源で照射するから、夫々の線状部に対応した有効ラインが鮮明に表示される。
そして前記光源を、前記透明板の左側端面および／または右側端面に対して上下所要間隔毎に複数個配設すれば、これら光源からの照射光が前記線状部の反射面に対して斜めに照射されるようになり、該照射光が反射面で好適に反射して有効ラインが鮮明に表示される。
なお、光源を個別に点灯・消灯制御したり、異なる発光色に設定するようにすれば、各有効ラインの表示態様の多様化および多彩化が可能となる。そしてこのような光源を、遊技機使用権利媒体の投入数量に応じて自動的に選択して点灯制御することで、各有効ラインの表示数を選択することができる。